(57)【要約】【課題】ドライバの意識喪失状態をより早い段階で検出することができるドライバ状態検出装置を提供する。【解決手段】本発明に係るドライバ状態検出装置１では、ドライバの操舵特性であるモデルパラメータを予め算出し、車線と車両の偏差に対して、そのドライバが本来操作すると考えられる推定舵角を算出する。その推定舵角と実舵角とのずれに基づいて見かけ上の目標コースを算出し、意識喪失判定に用いる。見かけ上の目標コースが車線中心から単調に外れた場合には、それは意識喪失状態であると判断する。また、モデルパラメータが小さい場合に発生する誤判定を回避するために、自車両の進行方向の延長線上に見かけ上の目標コースがある場合にのみ意識喪失判定を行う。【選択図】図２
2012003397.tif 000002
【特許請求の範囲】
【請求項１】
車両のドライバが意識喪失状態であることを検出するドライバ状態検出装置であって、
前記ドライバの操舵特性から算出される推定舵角と実舵角の差に基づき見かけ上の目標コースを算出する見かけ上の目標コース算出手段と、
前記見かけ上の目標コースが車線中心から逸れつつあるか否かを判定するコース逸脱判定手段と、
前記車両のハンドルの舵角が所定時間保持されていることを検出する舵角保持検出手段と、
前記コース逸脱判定手段によりコースを逸脱している判定がなされ、かつ、前記舵角保持検出手段により舵角が保持されていることが検出された場合に意識喪失状態と判定する意識喪失判定手段と、
を備える、ドライバ状態検出装置。
【請求項２】
前記車両の進行方向と前記見かけ上の目標コース間の距離が予め設定された所定値以上である場合に意識喪失判定を中止する意識喪失判定制御手段を更に備える、請求項１に記載のドライバ状態検出装置。
【請求項３】
前記コース逸脱判定手段は、前記見かけ上の目標コースと前記見かけ上の目標コースの時間微分値を乗じた値が大きいほど前記車両の見かけ上の目標コースは車線中心から逸れつつあると判断する、請求項１又は請求項２に記載のドライバ状態検出装置。
【発明の詳細な説明】
【技術分野】
【０００１】
本発明は、車両のドライバ状態を検出するドライバ状態検出装置に関する。
【背景技術】
【０００２】
従来、ドライバの運転状態を判定する装置として、特許文献１に記載されるように、自車両と車線中心間との偏差と操舵角に基づいてドライバの運転状態を検出する装置が知られている。この装置は判定テーブルを参照し、偏差と操舵角の組み合わせの値が正常範囲に入るか否かにより、正常操舵か否かを判定している。
【０００３】
また、特許文献２で記載されるように、ドライバが運転中に意識喪失状態になった場合には、無操舵状態となることが知られている。
【先行技術文献】
【特許文献】
【０００４】
【特許文献１】特開２００９−７３４６２号公報
【特許文献２】特開平５−２６２１６２号公報
【発明の概要】
【発明が解決しようとする課題】
【０００５】
上記の特許文献１に記載の発明では、自車両と車線中心間の偏差と操舵角との関連性に基づいてドライバの運転状態を判断している。このような偏差と操舵角情報のみを用いたドライバの運転状態検出においては、コースのずれが大きくならないと検出が困難である。そのためドライバの運転状態の検出タイミングが遅くなる恐れがある。
【０００６】
そこで本発明は、ドライバの意識喪失状態をより早い段階で検出することができるドライバ状態検出装置を提供することを目的とする。
【課題を解決するための手段】
【０００７】
上記課題を解決するため、本発明に係るドライバ状態検出装置は、ドライバの操舵特性から算出される推定舵角と実舵角の差に基づき見かけ上の目標コースを算出する見かけ上の目標コース算出手段と、見かけ上の目標コースが車線中心から逸れつつあるか否かを判定するコース逸脱判定手段と、車両のハンドルの舵角が所定時間保持されていることを検出する舵角保持検出手段と、コース逸脱判定手段によりコースを逸脱している判定がされ、かつ、舵角保持検出手段により舵角が保持されていることが検出された場合に意識喪失状態と判定する意識喪失判定手段と、を備えて構成されている。
【０００８】
本発明に係るドライバ状態検出装置では、ドライバの操舵特性を予め算出し、車線と車両の偏差に対してそのドライバが本来操作すると考えられる推定舵角を算出する。その推定舵角と実舵角とのずれに基づいて見かけ上の目標コースを算出し、意識喪失判定に用いる。この見かけ上の目標コースが車線中心から逸れつつあるにも拘らず、舵角が保持されている場合に、意識喪失状態と判断する。このように、ドライバが目標としていると推定されるコースが、正常時にはとるはずのないものである場合に意識喪失状態と判定する。これにより意識喪失状態の検出が迅速に行え、瞬間的な意識喪失状態を検出することが可能になる。
【０００９】
また、本発明に係るドライバ状態検出装置は、車両の進行方向と見かけ上の目標コース間の距離が予め設定された所定値以上である場合に意識喪失判定を中止する意識喪失判定制御手段を、更に備えることが好適である。
【００１０】
本発明に係るドライバ状態検出装置では、見かけ上の目標コースを算出する際に、舵角をモデルパラメータで割り算する。その際、モデルパラメータが小さいときにはゼロ割りが発生することによる、誤判定が発生する問題がある。これを回避するために自車両の進行方向の延長線上に見かけ上の目標コースがある場合にのみ意識喪失判定を行う。自車両の進行方向の延長線上に見かけ上の目標コースがあるか否かの判定は、ドライバの前方注視点と見かけ上の目標コースとの距離と予め設定された所定値内を比較することにより行われる。即ち、モデルパラメータが小さいことでゼロ割りが発生していないかをチェックし、ゼロ割り時には意識喪失判定を中止することにより、意識喪失状態の誤検出を防止することが可能になる。
【００１１】
また、コース逸脱判定手段は、見かけ上の目標コースと見かけ上の目標コースの時間微分値を乗じた値が大きいほど車両の見かけ上の目標コースは車線中心から逸れつつあると判断することが好適である。このように構成することで、車両の見かけ上の目標コースが道路外へ逸れていることを精度良く検出することが可能になる。
【発明の効果】
【００１２】
本発明によれば、見かけ上の目標コースのコース逸脱を判定し、コース逸脱をしているにも拘らず舵角が保持されている場合に、意識喪失状態と判断することにより、ドライバの意識喪失状態の検出を迅速に行うことができる。
【図面の簡単な説明】
【００１３】
【図１】本発明の第１の実施形態に係るドライバ状態検出装置のブロック構成図である。
【図２】本発明の第１の実施形態に係るドライバ状態検出装置の動作についてのフローチャートである。
【図３】モデルパラメータ算出についてのフローチャートである。
【図４】偏差εを説明するための模式的説明図である。
【図５】見かけ上の目標コースを説明するための模式的説明図である。
【図６】本発明のドライバ状態検出装置で得られる出力波形の例である。
【図７】本発明の第２の実施形態に係るドライバ状態検出装置のブロック構成図である。
【図８】本発明の第２の実施形態に係るドライバ状態検出装置の動作についてのフローチャートである。
【発明を実施するための形態】
【００１４】
以下、添付図面を参照して、本発明の好適な実施形態について詳細に説明する。なお、以下の説明において、同一又は相当要素には同一符号を付し、重複する説明を省略する。
【００１５】
（第１の実施の形態）
図１は、本発明の第１の実施形態に係るドライバ状態検出装置を示すブロック図である。図１において、本実施形態に係るドライバ状態検出装置１は、被験者の意識喪失状態を検出する装置であって、例えば車両のドライバが居眠りをしているか否かの検出を行う。
【００１６】
このドライバ状態検出装置１は、操舵角センサ１１、カメラ１２、車速センサ１３、ドライバ状態検出ＥＣＵ（Ｅｌｅｃｔｒｏｎｉｃ  Ｃｏｎｔｒｏｌ  Ｕｎｉｔ）２、および出力部１４を備えている。
【００１７】
ドライバ状態検出ＥＣＵ２には、操舵角センサ１１、カメラ１２、車速センサ１３等からなる車両状態を計測するための各種センサが接続されている。
【００１８】
操舵角センサ１１は、ハンドルの操舵角を検出するセンサであって、例えば車両の図示しないステアリングシャフトに取り付けられている。操舵角センサ１１はステアリングの回転角を検出し、ドライバ状態検出ＥＣＵ２に回転角信号を出力する。
【００１９】
カメラ１２は、自車両の前部もしくは後部に取り付けられて、自車両前方もしくは後方の所定範囲を撮像し、道路の画像データを生成する。カメラ１２による撮像および画像データの生成は所定時間ごとに行なわれ、生成された画像データは車線認識部２１へ逐次出力される。
【００２０】
車速センサ１３は、車両の速度を検出するセンサであって、例えば車両の図示しない車輪に取り付けられており、例えば車輪の回転速度を検出してドライバ状態検出ＥＣＵ２に速度信号を出力している。
【００２１】
ドライバ状態検出ＥＣＵ２は、例えばＣＰＵ、ＲＯＭ、及びＲＡＭ等から構成され、車線認識部２１、見かけ上の目標コース算出部２２、コース逸脱判定部２３、舵角保持検出部２４及び意識喪失判定部２５を有している。車線認識部２１は、カメラ１２から取得した画像データに基づき、白線等から車線を認識する。車線認識は、路面と白線の輝度差を用いた二値化やエッジ抽出など様々な方法が知られているが、いずれの方法を用いても良い。車線認識により自車両の車線中心からのずれＹ及び車線に対する向きθが計算される。
【００２２】
見かけ上の目標コース算出部２２はドライバが、車両の車線中心からの偏差に対して、どの程度の舵角でその偏差を補正したかを記憶する。この偏差と舵角の関係は、ドライバが正常状態のときに一定時間に渡り記憶され、その履歴からドライバに応じたモデルパラメータＧが算出される。モデルパラメータＧは、偏差に対するドライバの舵角操作量の関係を表す比例定数である。車両の車線中心からの偏差をε、ドライバが操作する舵角をδとした場合には、モデルパラメータＧは（１）式となる。
【００２３】
Ｇ＝δ／ε  ・・・（１）
【００２４】
ある偏差εが与えられた際に、舵角を大きく操作してその偏差を修正するドライバの場合には、モデルパラメータＧは大きく算出される。逆に舵角を小さく操作し、ゆっくりと偏差を修正するドライバの場合には、算出されるモデルパラメータＧは小さくなる。
【００２５】
また、見かけ上の目標コース算出部２２は、算出されたモデルパラメータＧに基づき、見かけ上の目標コースの算出を行う。見かけ上の目標コースは、ドライバの操舵特性から推定される、ドライバが目標としていると推定されるコースである。モデルパラメータＧは、車線中心を目標コースとし、車線中心からの偏差εと舵角δの関係性から算出されている。ここで、ドライバが正常状態であることを前提にすれば、車線中心からの偏差εに対する推定舵角と実舵角との間に差がある場合、ドライバは車線中心を目標としておらず、別の位置を目標としていることになる。この別の位置を見かけ上の目標位置とする。見かけ上の目標位置は目標コース算出部２２により逐次的に算出され、その時系列の結果を見かけ上の目標コースｚ（ｔ）として出力する。
【００２６】
コース逸脱判定部２３は、見かけ上の目標コース算出部２２により算出された見かけ上の目標コースが、車線中心から逸れつつあるか否かの判定を行う。例えば、見かけ上の目標コースと見かけ上の目標コースの傾きを乗算し、その値を所定のしきい値と比較することによりコース逸脱を判定する。
【００２７】
舵角保持検出部２４は、操舵角センサ１１から取得された操舵角情報から、一定時間に渡り舵角が保持されているか否かを検出する。例えば、舵角保持検出部２４は、舵角の時間微分の絶対値｜ｄδ（ｔ）／ｄｔ｜が、一定時間に渡り、所定のしきい値より小さい場合に舵角が保持されていると判断する。
【００２８】
意識喪失判定部２５は、車両のドライバが意識喪失状態であるか否かの判定を行う。コース逸脱判定部２３によりコース逸脱判定がされ、かつ、舵角保持検出部２４により舵角保持状態が継続して検出された場合に、意識喪失判定部２５はドライバが意識喪失状態という判定をする。判定結果は出力部１４に逐次的に出力される。意識喪失状態と判定された場合には、出力部１４は例えば警告音を発するなどの方法により、ドライバに警告を行う。
【００２９】
次に、本実施形態に係るドライバ状態検出装置１の動作について説明する。
【００３０】
図２は、本実施形態に係るドライバ状態検出装置１の動作についてのフローチャートである。この図２の制御処理は、例えばドライバ状態検出ＥＣＵ２によって実行される。Ｓ１０〜Ｓ２１までの一連の処理は、例えば一定時間毎に繰り返し実行される。
【００３１】
図２に示すように、まず、ドライバ状態検出装置１は、見かけ上の目標コース算出部２２によりモデルパラメータＧの算出を行う（Ｓ１０）。モデルパラメータＧは、例えばドライバ状態検出処理開始の直近の設定時間（例えば３０秒間）に渡る、自車両の車線中心からの偏差ε及びドライバの操舵角δに基づき算出される。
【００３２】
図３はモデルパラメータＧの算出についてのフローチャートである。モデルパラメータＧの算出では、まずＳ１００において自車両の舵角δ、車線内位置Ｙおよび車線に対する向きθが取得される。ここで、舵角δは操舵角センサ１１より取得される。車線内位置Ｙおよび車線に対する向きθは、カメラ１２により撮像された画像データに基づき、車線認識部２１により算出される。
【００３３】
次に、車両の車線中心との偏差εが求められる（Ｓ１０１）。図４の模式図を用いて偏差εの算出例を説明する。本実施例では図４に示すように前方注視点Ｌとコース中心との距離を偏差εとしている。この場合、偏差εは（２）式で近似される。ここで前方注視点Ｌは例えば、現在の車線内位置Ｙおよび車線に対する向きθにおける将来（例えば１秒後）の車両位置とする。
【００３４】
ε＝Ｙ＋Ｌ・θ  ・・・（２）
【００３５】
次に、舵角δと偏差εに基づきモデルパラメータＧを算出する（Ｓ１０２）。モデルパラメータＧは（１）式を満たす定数として定義される。即ち、モデルパラメータＧは、偏差εとドライバの舵角操作量δの関係を表す比例定数である。
【００３６】
本実施形態においては偏差εと、それに対応した舵角δの複数の計測値の組み合わせから、最小二乗法を用いてモデルパラメータＧを求める。偏差εと舵角δの関係を（３）式のように仮定する。ここで、ＧｐとＧｄはパラメータ値であり、Ｌ＝Ｇｄ／Ｇｐを満たす定数である。このように定義すると、残差の二乗和ｅｒｒｏｒ２は（４）式となる。ｅｒｒｏｒ２が最小になるようにＧｐとＧｄを求めると、それぞれ（５）式、（６）式となる。算出されたモデルパラメータＧはドライバ状態検出ＥＣＵ２内のＲＡＭ等に記憶される。
【００３７】
δ＝Ｇ・ε＝Ｇｐ・Ｙ＋Ｇｄ・θ  ・・・（３）
【００３８】
ｅｒｒｏｒ２=Σ（δ―Ｇｐ・Ｙ−Ｇｄ・θ）２  ・・・（４）
【００３９】
Ｇｐ＝−｛Σ（Ｙ・θ）・Σ（δ・θ）＋Σ（Ｙ・δ）・Σ（θ２）｝
／｛Σ（Ｙ２）・Σ（θ２）−Σ（Ｙ・θ）２｝  ・・・（５）
Ｇｄ＝−｛Σ（Ｙ２）・Σ（δ・θ）＋Σ（Ｙ・δ）・Σ（Ｙ・θ）｝
／｛Σ（Ｙ２）・Σ（θ２）−Σ（Ｙ・θ）２｝  ・・・（６）
【００４０】
上述のようにモデルパラメータＧが算出されると、次に図２のＳ１１に処理が移行する。Ｓ１１では車線認識部２１により、ドライバ状態検出実行時における実舵角δｒ、車線内位置Ｙおよび車線に対する向きθが取得される。これらの値の取得には図３のＳ１００と同様に、操舵角センサ１１及びカメラ１２により撮像された画像データに基づき取得される。また、図３のＳ１０１と同様に（２）式を用いて車両の車線中心からの偏差εｃが求められる（Ｓ１２）。
【００４１】
次に、偏差εｃに対する推定舵角δｅが算出される（Ｓ１３）。推定応答舵角δｅは、既にＳ１０において算出されたドライバのモデルパラメータＧを用い、（７）式のように求められる。
【００４２】
δｅ＝Ｇ・εｃ  ・・・（７）
【００４３】
Ｓ１４の処理では、推定舵角δｅと実舵角δｒの差による偏差εｔが計算される。図５の模式図を用いて偏差εｔの算出例を説明する。偏差εｔは実舵角δｒで走行した場合の前方注視点Ｌと、推定舵角δｅで走行した場合の車両の軌跡の偏差である。偏差εｔは、推定応答舵角δｅによる車両の軌跡を基準とする偏差であるであるため、（８）式のように求められる。
【００４４】
εｔ＝δｒ／Ｇ  ・・・（８）
【００４５】
次に、Ｓ１５の処理では、偏差εｔを見かけ上の目標位置ｚに変換する。図５に示すように、見かけ上の目標位置ｚは車線中心を基準とするため、見かけ上の目標地点ｚは（９）式のように求められる。見かけ上の目標位置ｚは、見かけ上の目標コース算出部２２により逐次的に算出され、その時系列の結果を見かけ上の目標コースｚ（ｔ）として出力される。
【００４６】
ｚ＝εｃ−δｒ／Ｇ  ・・・（９）
【００４７】
Ｓ１６の処理では、コース逸脱判定部２３により、見かけ上の目標コースｚ（ｔ）が車線中心から逸れつつあるか否かの判定がされる。例えば、見かけ上の目標コースｚ（ｔ）のコース逸脱は（１０）式のように、見かけ上の目標コースｚ（ｔ）と見かけ上の目標コースｚ（ｔ）の時間微分を乗算し、その値を所定のしきい値Ｍと比較することによりコース逸脱を判定する。
【００４８】
ｚ（ｔ）・（ｄｚ（ｔ）／ｄｔ）＞Ｍ  ・・・（１０）
コース逸脱判定部２３は、（１０）式の左辺がしきい値Ｍよりも小さい場合には、見かけ上の目標コースｚ（ｔ）は車線中心から逸れていないと判定する。このように、見かけ上の目標コースｚ（ｔ）が車線中心から逸れていない場合には、ドライバは適切な操舵を行っていると判断し、正常状態として判定される（Ｓ２１）。一方、左辺がしきい値Ｍ以上である場合には、コース逸脱判定部２３は、見かけ上の目標コースｚ（ｔ）が車線中心から逸れつつあると判定する。
【００４９】
Ｓ１６において見かけ上の目標コースｚ（ｔ）が車線中心から逸れつつあると判定された場合には、舵角保持検出部２４により、舵角が保持されているか否かが判定される（Ｓ１７）。舵角が保持されているか否かは、例えば、（１１）式のように、舵角の時間微分の絶対値と所定のしきい値Ｎを比較することにより行われる。
【００５０】
｜ｄδ（ｔ）／ｄｔ｜＜Ｎ  ・・・（１１）
舵角保持検出部２４は、（１０）式の左辺がしきい値Ｎ以上の場合、舵角変化があったと判断し、正常状態と判定する（Ｓ２１）。一方、左辺がしきい値Ｎよりも小さい場合には、見かけ上の目標コースｚ（ｔ）が車線中心から逸れているにも拘らず、舵角が保持されていると判断し、コース逸れ判定がされる（Ｓ１８）。
【００５１】
コース逸れ判定がされた後にもＳ１６、Ｓ１７の判定は行われ続け、コース逸れ判定が設定時間（例えば２秒間）以上継続された場合には意識喪失判定部２５により、意識喪失状態の判定がされる（Ｓ２０）。設定時間より早くｚ（ｔ）が車線中心に戻るか、舵角に変化があった場合には正常状態判定が行われる（Ｓ２１）。Ｓ２０もしくはＳ２１の判定を終了すると一連の処理を終了し、判定結果に応じた制御信号が出力部１４へ送信される。出力部１４が意識喪失状態検出止の信号を受信した場合には、例えば警告音を鳴らすなどの方法により危険回避の措置を行う。
【００５２】
図６は、ドライバ状態検出装置１によって得られる、時間に依存した自車両の車線中心からのずれＹ、車線に対する向きθ、操舵角δ及び見かけ上の目標コースｚ（ｔ）の出力波形の一例である。図６の出力波形の例では、時刻ｔ１付近から見かけ上の目標コースｚ（ｔ）が車線中心から逸れるコースに設定され、かつ継続してコース中心から外れていることから、意識喪失判定がなされる。一方、同時刻ｔ１における自車両の車線中心からのずれＹは０付近であり、自車両は車線中心付近にある状態である。このように、本発明により、迅速な意識喪失検出を行うことが可能になる。
【００５３】
本実施形態におけるドライバ状態検出装置は、ドライバの操舵特性であるモデルパラメータを予め算出し、車線と車両の偏差に対して、そのドライバが本来操作すると考えられる推定舵角を算出する。その推定舵角と実舵角とのずれに基づいて見かけ上の目標コースを算出し、意識喪失判定に用いる。この見かけ上の目標コースが車線中心から逸れつつあるにも拘らず、舵角が保持されている場合に、意識喪失状態と判断する。このように、ドライバが目標としていると推定されるコースが、正常時にはとるはずのないものである場合に意識喪失状態と判定する。これにより意識喪失状態の検出が迅速に行え、瞬間的な意識喪失状態を検出することが可能になる。
【００５４】
（第２の実施の形態）
次に、本発明の第２の実施形態について説明する。
【００５５】
図７は、本発明の第２の実施形態に係るドライバ状態検出装置を示すブロック図である。図７に示すように、ドライバ状態検出ＥＣＵ２ａは、第１の実施形態におけるドライバ状態検出ＥＣＵ２に加えて、意識喪失判定制御部２６を備える。意識喪失判定制御部２６は、見かけ上の目標コースと車線中心の間の距離が所定値以上の場合に、意識喪失判定を中止する。その他は、上記第１の実施形態と同様の構成を備えている。本実施形態に係るドライバ状態検出装置１ａは、自車両の進行方向の延長線上に、見かけ上の目標コースがある場合にのみ、意識喪失判定を行うことにより誤作動を減少させる。
【００５６】
次に、本実施形態に係るドライバ状態検出装置の動作について説明する。
【００５７】
図８は、本実施形態に係るドライバ状態検出装置の動作についてのフローチャートである。この図８の制御処理は、例えばドライバ状態検出ＥＣＵ２ａによって実行される。図８に描かれている一連の処理は、例えば一定時間毎に繰り返し実行される。
【００５８】
まず、ドライバ状態検出を実行するに当たり、ＥＣＵ２ａはモデルパラメータＧ及び距離しきい値Ｄの算出を行う（Ｓ３０）。モデルパラメータＧは、第１の実施形態と同様に、例えば、ドライバ状態検出の直近の所定時間（例えば３０秒）に渡る誤差εと、それに対応した舵角δの計測値の結果から算出される。距離しきい値Ｄは、モデルパラメータＧと距離しきい値Ｄを対応させる参照テーブルにより決定される。モデルパラメータＧと距離しきい値Ｄとの対応は車両毎の適合値とすれば良い。
【００５９】
次に、見かけ上の目標コースｚ（ｔ）が算出される（Ｓ３１）。これは上記第１の実施形態における、図２のＳ１１〜Ｓ１５に相当する一連の処理である。
【００６０】
意識喪失判定制御部２６は、Ｓ３１により算出される偏差εｔと距離しきい値Ｄとの比較を行う（Ｓ３２）。偏差εｔは（８）式により算出されるが、モデルパラメータＧがごく小さい値の場合には、ゼロ割りが発生することからεｔは非常に大きい値になり、誤検出が発生する。そこで、偏差εｔが距離しきい値Ｄ以上の場合には、ゼロ割りが発生していると判断し、意識喪失判定制御部２６は意識喪失判定を中止する（Ｓ３４）
偏差εｔが距離しきい値Ｄよりも小さい場合には、自車両の進行方向の延長線上に見かけ上の目標コースが存在すると判断し、ＥＣＵ２ａにより意識喪失判定が行われる（Ｓ３３）。Ｓ３３の意識喪失判定は上記第１の実施形態における、図２のＳ１６〜Ｓ２０またはＳ２１に相当する。Ｓ３３もしくはＳ３４を終えたら一連の処理を終了する。
【００６１】
本実施形態においては、モデルパラメータが小さいときに発生する、ゼロ割りを原因とする誤判定を回避するために、自車両の進行方向の延長線上に見かけ上の目標コースがある場合にのみ意識喪失判定を行う。自車両の進行方向の延長線上に見かけ上の目標コースがあるか否かの判定は、ドライバの前方注視点と見かけ上の目標コースとの距離と予め設定された所定値内を比較することにより行われる。即ち、モデルパラメータが小さいことでゼロ割りが発生していないかをチェックし、ゼロ割り時には意識喪失判定を中止することにより、意識喪失状態の誤検出を防止することが可能になる。
【００６２】
なお、本発明の好適な実施形態について説明したが、本発明は上記実施形態に限定されるものではない。例えば、上記実施形態において、モデルパラメータＧの算出は、最小二乗法を用いて算出しているが、その他の収束計算手法を用いて算出を行っても良い。
【符号の説明】
【００６３】
１…ドライバ状態検出装置、２…ドライバ状態検出ＥＣＵ、１１…操舵角センサ、１２…カメラ、１３…車速センサ、１４…出力部、２１…車線認識部、２２…見かけ上の目標コース算出部、２３…コース逸脱判定部、２４…舵角保持検出部、２５…意識喪失判定部、２６…意識喪失判定制御部。
【図１】
2012003397.tif 000003
【図２】
2012003397.tif 000004
【図３】
2012003397.tif 000005
【図４】
2012003397.tif 000006
【図５】
2012003397.tif 000007
【図６】
2012003397.tif 000008
【図７】
2012003397.tif 000009
【図８】
2012003397.tif 000010